(57)【特許請求の範囲】
【請求項１】
少なくとも一部が導電性材料で形成され、電子回路を囲んで配置された導電性部材と、
前記導電性部材から少なくとも無線通信部が露出する位置に配置された無線通信素子と、を備え、
前記電子回路は、
前記無線通信素子から出力された信号に対して所定の信号処理を施し、
前記無線通信素子は、
前記無線通信部が実装される回路基板を有し、
前記回路基板と共に前記導電性部材から露出する位置に配置され、
前記回路基板は、
前記導電性部材に接地されている、
電子機器。
【請求項２】
前記導電性部材は、
殻状に形成され、
該導電性部材の内側に向かって凹ませて形成された凹部を有し、
前記無線通信素子は、
前記凹部に配置されている、
請求項１に記載の電子機器。
【請求項３】
導電性材料で形成され、前記回路基板と前記導電性部材との間に配置された雑音遮蔽部材を更に備え、
前記回路基板は、
前記雑音遮蔽部材を介して前記導電性部材に接地されている、
請求項１又は請求項２に記載の電子機器。
【請求項４】
前記導電性部材より露出する前記無線通信部を覆う、非導電性材料で形成された非導電性部材を更に備える、
請求項１から請求項３の何れか一項に記載の電子機器。
【請求項５】
前記導電性部材は、
前記導電性部材の内部と外部とを連通する開口部を有し、
前記無線通信素子と前記電子回路とは、前記開口部を通して接続される、
請求項１から請求項４の何れか一項に記載の電子機器。
【請求項６】
前記導電性部材に設けられ、被写体像を形成する撮影光学系と、
前記被写体像を撮像して画像信号を出力する撮像素子と、
を更に備え、
前記電子回路は、
前記無線通信素子から出力された信号と前記画像信号とを関連付けて処理する、
請求項１から請求項５の何れか一項に記載の電子機器。
【発明の詳細な説明】
【技術分野】
【０００１】
本発明は、無線通信システム、特にＧＰＳ（Global Positioning System）を備える電子機器に関する。
【背景技術】
【０００２】
撮影装置などの使用者が持ち運んで使用する電子機器には、ＧＰＳモジュールなどの無線通信素子を備えるものがある。この種の撮影装置は、撮影画像とＧＰＳモジュールによる測位結果とを関連付けて、画像を撮影した場所を画像ファイルにメタ情報として記録することができる。ＧＰＳモジュールは、衛星からのＧＰＳ衛星信号を受信するＧＰＳアンテナを備えている。衛星からのＧＰＳ衛星信号は微弱であるため、正確な測位結果を得るためには、ＧＰＳアンテナに入射する電磁雑音（電磁ノイズ）を抑える必要がある。
【０００３】
特許文献１には、ＧＰＳアンテナに入射する電磁ノイズを抑圧する撮影装置が記載されている。特許文献１に記載の撮影装置では、ＧＰＳアンテナが実装された基板の装置本体側に金属部材が設けられている。この金属部材が装置本体内で発生した電磁ノイズを遮蔽することにより、ＧＰＳアンテナに入射する電磁ノイズが抑えられる。
【先行技術文献】
【特許文献】
【０００４】
【特許文献１】特開２０１３−２１５２０号公報
【発明の概要】
【発明が解決しようとする課題】
【０００５】
ところで、特許文献１に記載された金属部材は、撮影装置内の主にＧＰＳアンテナ直下からの電磁ノイズのみを遮蔽するために使用されており、電磁ノイズの遮蔽効果は不十分であった。
【０００６】
本発明は上記の事情に鑑みてなされたものであり、その目的とするところは、電子機器内からの電磁ノイズを遮蔽することにより、電磁ノイズによる無線通信素子への悪影響を抑えるのに好適な電子機器を提供することにある。
【課題を解決するための手段】
【０００７】
本発明の一実施形態に係る電子機器は、少なくとも一部が導電性材料で形成され、電子回路を囲んで配置された導電性部材と、導電性部材から少なくとも無線通信部が露出する位置に配置された無線通信素子と、を備える。この構成において、電子回路は、無線通信素子から出力された信号に対して所定の信号処理を施す。
【０００８】
このような構成により、電子回路で発生した電磁ノイズは導電性部材によって遮蔽され、無線通信部に入射されにくくなる。この結果、無線通信部が電磁ノイズによる悪影響を受けにくくなる。
【０００９】
また、本発明の一実施形態において、導電性部材は、殻状に形成され、導電性部材の内側に向かって凹ませて形成された凹部を有していてもよい。この場合、無線通信素子は、凹部に配置される。
【００１０】
このような構成により、無線通信素子は、導電性部材の凹部によって覆われる。そのため、電子機器の内側及び外側で発生した電磁ノイズは、凹部で遮蔽されて無線通信部に入射されにくくなる。
【００１１】
また、本発明の一実施形態において、無線通信素子は、無線通信部が実装される回路基板を有し、回路基板と共に導電性部材から露出する位置に配置されてもよい。この場合、回路基板は、導電性部材に接地される。
【００１２】
このような構成によれば、回路基板の接地電圧が安定化し、無線通信素子の通信精度を向上させることができる。
【００１３】
また、本発明の一実施形態に係る電子機器は、導電性材料で形成され、回路基板と導電性部材との間に配置された雑音遮蔽部材を更に備えてもよい。この場合、回路基板は、雑音遮蔽部材を介して導電性部材に接地される。
【００１４】
このような構成によれば、回路基板は、電気抵抗の小さい雑音遮蔽部材を介して設置されるため、回路基板の接地抵抗を下げることができる。これにより、無線通信素子の接地電圧が安定化し、無線通信素子の通信精度を向上させることができる。また、雑音遮蔽部材は、電磁ノイズを遮蔽するため、無線通信素子の無線通信部に電磁ノイズが入射されるのを抑制することができる。
【００１５】
また、本発明の一実施形態に係る電子機器は、導電性部材より露出する無線通信部を覆う、非導電性材料で形成された非導電性部材を更に備える、
【００１６】
このような構成によれば、無線通信素子による無線通信に影響を与えずに、無線通信素子を保護することができる。
【００１７】
また、本発明の一実施形態において、導電性部材は、導電性部材の内部と外部とを連通する開口部を有してもよい。この場合、無線通信素子と電子回路とは、開口部を通して接続される、
【００１８】
このような構成によれば、電子機器の内側で発生した電磁ノイズが無線通信素子に入射されるのを抑制しつつ、導電性部材の内部に配置された電気回路と外側に配置された無線通信素子とを容易に接続することができる。
【００１９】
また、本発明の一実施形態に係る電子機器は、導電性部材に設けられ、被写体像を形成する撮影光学系と、被写体像を撮像して画像信号を出力する撮像素子とを更に備えてもよい。この構成において、電子回路は、無線通信素子から出力された信号と画像信号とを関連付けて処理する。
【発明の効果】
【００２０】
本発明の一実施形態によれば、電子機器内からの電磁ノイズを遮蔽することにより、電磁ノイズによる無線通信素子への悪影響を抑えるのに好適な電子機器が提供される。
【図面の簡単な説明】
【００２１】
【図１】本発明の実施形態に係る撮影装置の構成を示すブロック図である。
【図２】本発明の実施形態に係るカメラ本体部の前方斜視図である。
【図３】本発明の実施形態に係るカメラ本体部の後方斜視図である。
【図４】本発明の実施形態に係るカメラ本体部の分解斜視図である。
【図５】本発明の実施形態に係るカメラ本体部の分解斜視図である。
【図６】本発明の実施形態に係る金属製筐体の前方斜視図である。
【図７】本発明の実施形態に係るカメラ本体部の断面図である。
【発明を実施するための形態】
【００２２】
以下、本発明の実施形態の電子機器について図面を参照しながら説明する。以下においては、本発明の一実施形態として、デジタル一眼レフカメラについて説明する。なお、電子機器は、デジタル一眼レフカメラに限らず、例えば、コンパクトデジタルカメラ、ミラーレス一眼カメラ、ビデオカメラ、カムコーダ、タブレット端末、スマートフォン、ＰＨＳ（Personal Handy phone System）、フィーチャフォン、携帯ゲーム機などの装置や、使用者が持ち運んで使用する別の形態の装置に置き換えてもよい。
【００２３】
図１は、本実施形態のデジタル一眼レフカメラ（以下、「撮影装置」と記す。）１の構成を示すブロック図である。図１に示されるように、撮影装置１は、カメラ本体部１０及びカメラ本体部１０に着脱可能に装着される交換レンズ２０を備えている。
【００２４】
カメラ本体部１０は、中空の殻状の金属筐体３０内に、システムコントローラ１００、操作部１０２、駆動回路１０４、ＧＳＰモジュール１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２及びＲＯＭ（Read Only Memory）１２６を備えている。また、カメラ本体部１０は、金属筐体３０の外側にＬＣＤ１２４を備えている。交換レンズ２０は、撮影レンズ２００及び絞り２０２を備えている。なお、撮影レンズ２００は複数枚構成であるが、図１においては便宜上一枚のレンズとして示す。
【００２５】
操作部１０２には、電源スイッチやレリーズスイッチ、撮影モードスイッチなど、撮影装置１の使用者（撮影者）が撮影装置１を操作するために必要な各種スイッチが含まれる。撮影者により電源スイッチが操作されると、図示省略されたバッテリから撮影装置１の各種回路に電源ラインを通じて電源供給が行われる。
【００２６】
システムコントローラ１００は、ＣＰＵ（Central Processing Unit）及びＤＳＰ（Digital Signal Processor）を含む。システムコントローラ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２７】
レリーズスイッチが操作されると、システムコントローラ１００は、例えば、固体撮像素子１１２により撮像されたライブビュー（後述）から計算された測光値や、撮影装置１に内蔵された露出計（不図示）で測定された測光値に基づき適正露出が得られるように、駆動回路１０４を介して絞り２０２及びシャッタ１１０を駆動制御する。より詳細には、絞り２０２及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ２００を駆動制御し、撮影レンズ２００の焦点を調整する。なお、この種のＡＥ及びＡＦの構成及び制御については周知であるため、ここでの詳細な説明は省略する。
【００２８】
被写体からの光束は、撮影レンズ２００、絞り２０２、シャッタ１１０を通過して固体撮像素子１１２の受光面により受光される。固体撮像素子１１２は、ベイヤ型画素配置を有する単板式カラーＣＣＤ（Charge Coupled Device）イメージセンサである。固体撮像素子１１２は、受光面上の各画素で結像した被写体像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００２９】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えば、画像領域の黒レベルの補正処理等）しか施されないＲＡＷ形式であってもよい。
【００３０】
カード用インタフェース１２０のカードスロットには、メモリカード３００が着脱可能に差し込まれている。画像処理エンジン１１６は、カード用インタフェース１２０を介してメモリカード３００と通信可能である。画像処理エンジン１１６は、生成された圧縮画像信号（撮影画像データ）をメモリカード３００（又は撮影装置１に備えられる不図示の内蔵メモリ）に保存する。
【００３１】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。撮影者は、ＡＥ制御及びＡＦ制御に基づいて適正な露出及びピントで撮影されたリアルタイムのスルー画（ライブビュー）を、ＬＣＤ１２４の表示画面を通じて視認することができる。
【００３２】
画像処理エンジン１１６は、撮影者により撮影画像の再生操作が行われると、操作により指定された撮影画像データをメモリカード３００又は内蔵メモリ（不図示）より読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、撮影画像がＬＣＤ１２４の表示画面に表示される。
【００３３】
ＧＰＳモジュール１０８は、上空の衛星からのＧＰＳ衛星信号を受信し、所定間隔で測位結果を出力する無線通信素子である。システムコントローラ１００は、撮影画像データとＧＰＳモジュール１０８から入力された測位結果とを関連付けて、画像を撮影した場所を撮影画像データにメタ情報として記録する。
【００３４】
図２及び図３はそれぞれ、カメラ本体部１０の前方斜視図及び後方斜視図である。なお、説明の便宜上、図２及び図３では、カメラ本体部１０に装着される交換レンズ２０は示されていない。
【００３５】
カメラ本体部１０の筐体は、一部が金属などの導電性材料で形成されており、一部が樹脂などの非導電性材料で形成されている。カメラ本体部１０の導電性材料で形成された部分（以下、「金属製筐体３０」と記す。）には、例えば、マグネシウム合金やステンレスなどの金属材料が使用される。カメラ本体部１０の筐体に金属材料を使用することにより、カメラ本体部１０の強度を向上することができる。金属製筐体３０の外側には、レリーズスイッチ１０２ａを含む複数の操作部１０２、ＬＣＤ１２４、交換レンズ２０が装着されるマウント部３１等が配置されている。金属製筐体３０の側面には、使用者が把持するためのグリップ３２が設けられている。
【００３６】
以下では、カメラ本体部１０のマウント部３１設けられている側を前方、ＬＣＤ１２４が設けられている側を後方と定義する。また、カメラ本体部１０のグリップ３２が設けられている側を右方、カメラ本体部１０のマウント部３１を挟んでグリップ３２とは反対側を左方と定義する。また、カメラ本体部１０のレリーズスイッチ１０２ａが設けられている側を上方、その反対側を下方と定義する。
【００３７】
カメラ本体部１０の上部には、樹脂などの非導電性材料で形成された樹脂製部材３３が設けられている。図４は、樹脂製部材３３を取り外したカメラ本体部１０の分解斜視図である。ＧＰＳモジュール１０８は、上空の衛星からのＧＰＳ衛星信号を受信しやすいように、カメラ本体部１０の上部に配置されている。また、金属製筐体３０はＧＰＳ衛星信号を遮蔽又は減衰させる。そのため、ＧＰＳモジュール１０８で受信されるＧＰＳ衛星信号が遮蔽又は減衰することを防止するために、ＧＰＳモジュール１０８は金属製筐体３０の上部から露出された位置に配置されている。
【００３８】
ＧＰＳモジュール１０８は、樹脂製部材３３によって覆われて、保護されている。樹脂材料はＧＰＳ衛星信号を通過させる。そのため、樹脂製部材３３は、ＧＰＳ衛星信号の受信に実質的に影響を与えることなく、ＧＰＳモジュール１０８を保護することができる。
【００３９】
図５及び図６はそれぞれ、カメラ本体部１０の分解斜視図及び金属製筐体３０単体の前方斜視図である。図７は、カメラ本体部１０の断面図である。図５では、カメラ本体部１０から、樹脂製部材３３、ＧＰＳモジュール１０８、ＦＰＣ（Flexible Printed Circuits）４０、雑音遮蔽部材４２、配線４４が取り外された状態を示している。
【００４０】
金属製筐体３０は、複数の非導電性材料で形成された筐体部材３５ａ〜３５ｃを有している。筐体部材３５ａ〜３５ｃは互いに電気的に接続されている。筐体材部材３５ａは主に金属製筐体３０の上部から後部にかけた部分を形成している。筐体部材３５ｂは主に金属製筐体３０の前部、左右の側面、下部を形成している。筐体部材３５ｃは、主に金属製筐体３０の後部を形成している。筐体部材３５ｃの外側にはＬＣＤ１２４が配置されている。複数の筐体部材３５ａ〜３５ｃによって、金属製筐体３０は中空の殻状に形成されている。金属製筐体３０の内部には、固体撮像素子１１２や、システムコントローラ１００等を含む電気回路１３０等が配置されている。金属製筐体３０の上部には、下方向に向かって凹んだ凹部３６が形成されている。凹部３６には、樹脂材料によって形成された保持部材４６が配置されている。ＧＰＳモジュール１０８は、保持部材４６に保持された状態で凹部３６に配置される。
【００４１】
ＧＰＳモジュール１０８と凹部３６との間には、金属などの導電性材料で形成された雑音遮蔽部材４２が配置されている。詳しくは、雑音遮蔽部材４２は、上下方向において保持部材４６とＧＰＳモジュール１０８との間に配置されており、ＧＰＳモジュール１０８と共に保持部材４６に固定されている。雑音遮蔽部材４２の材料には、アルミニウムや銅などの比較的電気抵抗の小さい金属が使用される。
【００４２】
金属製筐体３０の凹部３６の下側部分には、金属製筐体３０の内部と外部とを連通する開口部３６ａが設けられている。また、雑音遮蔽部材４２、保持部材４６は、それぞれ、開口部３６ａに対応する位置に、孔４２ａ、孔４６ａを有している。ＦＰＣ４０（図７では不図示）は、凹部３６の開口部３６ａ、雑音遮蔽部材４２の孔４２ａ及び保持部材４６の孔４６ａを通すように配置され、金属製筐体３０の内部に配置された電気回路１３０と、金属製筐体３０の外部に配置されたＧＰＳモジュール１０８とを接続している。
【００４３】
ＧＰＳモジュール１０８は、回路基板１０８ａ、ＧＰＳアンテナ１０８ｂ、ＩＣ（Integrated Circuit）チップ１０８ｃを備えている。ＧＰＳアンテナ１０８ｂは、ＧＰＳ衛星信号を受信するアンテナであり、回路基板１０８ａの上面に実装されている。ＩＣチップ１０８ｃは、回路基板１０８ａの下面に実装されている。ＧＰＳアンテナ１０８ｂで受信されたＧＰＳ衛星信号は、回路基板１０８ａを介してＩＣチップ１０８ｃに送信される。ＩＣチップ１０８ｃは、ＧＰＳ衛星信号に対して所定の信号処理を施し、測位信号として出力する。ＧＰＳモジュール１０８から出力された測位信号は、ＦＰＣ４０を介してカメラ本体部１０内のシステムコントローラ１００に送信される。
【００４４】
ＧＰＳモジュール１０８は、雑音遮蔽部材４２と共に、ネジによって保持部材４６に共締めされており、雑音遮蔽部材４２と電気的に接続されている。また、雑音遮蔽部材４２は、凹部３６の開口部３６ａ、雑音遮蔽部材４２の孔４２ａ及び保持部材４６の孔４６ａを通すように配置された配線４４により、金属製筐体３０に接地されている。従って、ＧＰＳモジュール１０８は、雑音遮蔽部材４２及び配線４４を介して金属製筐体３０に接地される。配線４４には、例えば、銅箔等の電気抵抗の比較的小さい金属が使用される。
【００４５】
また、ＧＰＳモジュール１０８は、上述のように、金属製筐体３０の凹部３６に配置されている。これにより、ＧＰＳモジュール１０８の下側及び側面が金属製筐体３０によって覆われる。図５、図７に示される構成では、ＧＰＳモジュール１０８の下側と、前後方向の側面が凹部３６によって覆われている。
【００４６】
カメラ本体部１０の内部には、上述のように、システムコントローラ１００等を含む電気回路１３０が配置されている。この電気回路１３０から放射される電磁ノイズがＧＰＳアンテナ１０８ｂに入射されると、ＧＰＳモジュール１０８の動作に悪影響を与える可能性がある。悪影響としては、例えば、ＧＰＳモジュール１０８による測位精度が低下することが考えられる。しかし、本実施形態では、電気回路１３０が金属製筐体３０に囲われているため、電気回路１３０で発生した電磁ノイズは、外部に放射される前に金属製筐体３０で遮蔽される。そのため、金属製筐体３０の外側に配置されているＧＰＳアンテナ１０８ｂに、電磁ノイズが入射されること抑えられる。これにより、電磁ノイズによるＧＰＳモジュール１０８への悪影響の発生を抑えることができる。
【００４７】
また、ＧＰＳアンテナ１０８ｂに入射される可能性のある電磁ノイズとしては、撮影装置１の内部だけでなく、撮影装置１の外部で発生するものが考えられる。撮影装置１の外部で発生する電磁ノイズとしては、例えば、周囲の電子機器で発生する電磁ノイズがある。ＧＰＳ衛星信号は上空の衛星から発信されるため、比較的鉛直上方から撮影装置１に入射される。これに対し、周囲の電子機器で発生する電磁ノイズは、鉛直上方以外の方向から伝播するものが多く含まれる。本実施形態では、ＧＰＳモジュール１０８の側面（前方及び後方）は、金属製筐体３０（凹部３６）で覆われている。そのため、撮影装置１の外部で発生した電磁ノイズは、多くがＧＰＳアンテナ１０８ｂに入射される前に金属製筐体３０で遮蔽される。
【００４８】
このように、本実施形態では、金属製筐体３０の外側の凹部３６にＧＰＳモジュール１０８を配置することにより、撮影装置１（カメラ本体部１０）の内部及び外部で発生した電磁ノイズがＧＳＰアンテナ１０８ｂに入射されるのを抑制できる。また、本実施形態では、ＧＳＰアンテナ１０８ｂは、金属製筐体３０の上部で露出しているため、上空の衛星から送信されるＧＰＳ衛星信号が金属製筐体３０によって遮蔽されることはない。そのため、本実施形態の構成により、ＧＰＳモジュール１０８による測位精度が向上する。
【００４９】
また、本実施形態では、ＧＰＳモジュール１０８は金属製筐体３０に接地されているため、ＧＰＳモジュール１０８の接地の静電容量が大きくなり、接地電圧が安定する。これにより、ＧＰＳモジュール１０８による測位精度が向上する。また、本実施形態では、ＧＰＳモジュール１０８は雑音遮蔽部材４２及び配線４４を介して金属製筐体３０に接地されている。雑音遮蔽部材４２及び配線４４には電気抵抗の小さい材料が使用される。また、配線４４に使用する銅箔は、金属製筐体３０と比較的大きな面積で接触させることができる。そのため、本実施形態では、ＧＰＳモジュール１０８と金属製筐体３０とを導線で直接接続する場合に比べて、ＧＰＳモジュール１０８と金属製筐体３０との間の電気抵抗（接地抵抗）を小さくすることでき、ＧＰＳモジュール１０８の接地電圧が更に安定する。
【００５０】
また、雑音遮蔽部材４２は、ＧＰＳモジュール１０８の下側を覆うように配置されている。撮影装置１の内部で発生した電磁ノイズは、金属製筐体３０の凹部３６と雑音遮蔽部材４２の２つによって遮蔽されるため、ＧＰＳアンテナ１０８ｂに入射される電磁ノイズがより一層抑えられる。
【００５１】
また、金属製筐体３０には、金属製筐体３０の内部と外部とを連通する開口部３６ａが設けられている。そのため、金属製筐体３０の内部で発生する電磁ノイズがＧＰＳアンテナ１０８ｂに入射されるのを防止しつつ、金属製筐体３０の内部に配置された電気回路１３０（システムコントローラ１００）と、金属製筐体３０の外部に配置されＧＰＳモジュール１０８とを、開口部３６ａを介して容易に接続することができる。
【００５２】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれ
る。
【００５３】
例えば、上記の実施形態では、図６に示されるように、凹部３６の後方はＧＰＳモジュール１０８の上面よりも高く形成され、前方はＧＰＳモジュール１０８の上面よりも低く形成されているが、本発明はこれに限定されない。例えば、凹部３６は、前方と後方の両方が、ＧＰＳモジュール１０８の上面よりも高く形成されていてもよい。この場合、前方からＧＰＳアンテナ１０８ｂに入射される電磁ノイズを更に抑えることができる。
【００５４】
また、上記の実施形態では、図５に示されるように、凹部３６は左右方向に伸びる溝形状を有しており、ＧＰＳモジュール１０８は前後方向のみが凹部３６で覆われているが、本発明はこれに限定されない。例えば、凹部３６は、お椀型の形状を有していてもよい。この場合、ＧＰＳモジュール１０８は、前後左右の方向が凹部３６によって覆われるため、撮影装置１の外部で発生し、ＧＰＳアンテナ１０８ｂに入射する電磁ノイズを更に抑えることができる。
【００５５】
また、上記の実施形態では、カメラ本体部１０の筐体は、金属材料で形成された金属筐体３０を有しているが、本発明はこれに限定されない。カメラ本体部１０の筐体には、金属材料の代わりに、非導電性材料に金属粉などの導電性物質が添加されたもの（例えば、導電性樹脂）が使用されてもよい。また、カメラ本体部１０の筐体は、樹脂等の非導電性材料で形成され、その表面に導電性部材（例えば、導電性テープ）が貼り付けられたものであってもよい。また、カメラ本体部１０の筐体は、樹脂等の非導電性材料で形成され、その表面に導電性塗料が塗布されたものであってもよい。また、カメラ本体部１０の筐体は、樹脂等の非導電性材料に金属板等の導電性材料をネジや接着剤等で接着したものが使用されてもよい。
【符号の説明】
【００５６】
１  撮影装置
１０  カメラ本体部
２０  交換レンズ
３０  金属製筐体
３１  マウント部
３２  グリップ
３３  樹脂製部材
３５ａ〜３５ｃ  筐体部材
３６  凹部
３６ａ  開口部
４０  ＦＰＣ
４２  雑音遮蔽部材
４２ａ  孔
４４  配線
４６  保持部材
４６ａ  孔
１００  システムコントローラ
１０２  操作部
１０２ａ  レリーズスイッチ
１０３  ＬＥＤ駆動回路
１０４  駆動回路
１０８  ＧＰＳモジュール
１０８ａ  回路基板
１０８ｂ  ＧＰＳアンテナ
１０８ｃ  ＩＣチップ
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
１３０  電気回路
２００  撮影レンズ
２０２  絞り
３００  メモリカード
【図１】
0006471607.tif 000002
【図２】
0006471607.tif 000003
【図３】
0006471607.tif 000004
【図４】
0006471607.tif 000005
【図５】
0006471607.tif 000006
【図６】
0006471607.tif 000007
【図７】
0006471607.tif 000008